(57)【要約】【課題】真空成型のプラスチック製容器で、プラスチック素材が薄肉であっても硬さや剛性ができるよう、蓋体と容器本体とを立体的に係合させる。【解決手段】  ヒンジ部３で接続された蓋付きの極薄プラスチック製容器において、容器本体１の平面状周縁部４でくびれ部５に続いて外方へ拡がるハの字型導入部６を設け、この導入部に近接して周縁部４にそれぞれ傾斜面８を有する中空の台形突起A７を２つ設け、蓋体２には前記容器本体１のハの字型導入部に対応して周縁部９から屈曲ライン１２を介してくびれ部１３とした段差部１４を設け、この段差部に続いて周縁に平面状のオーバーロック部１５を有し、傾斜面１１を有する中空の台形突起B１０を設け、この台形突起Bの両側に前記容器本体の２つの台形突起Aを逃す空間部１６を形成して成る極薄プラスチック製容器のふた留め装置。【選択図】    図３
2005162287.tif 000002
【特許請求の範囲】
【請求項１】
ヒンジ部で接続された蓋付きの極薄プラスチック製容器において、
容器本体の平面状周縁部でくびれ部に続いて外方へ拡がるハの字型導入部を設け、この導入部に近接して周縁部にそれぞれ傾斜面を有する中空の台形突起Aを２つ設け、
蓋体には前記容器本体のハの字型導入部に対応して周縁部から屈曲ラインを介してくびれ部とした段差部を設け、この段差部に続いて周縁に平面状のオーバーロック部を有し、傾斜面を有する中空の台形突起Bを設け、この台形突起Bの両側に前記容器本体の２つの台形突起Aを逃す空間部を形成して成る極薄プラスチック製容器のふた留め装置。
【請求項２】
蓋体に設けた中空の台形突起Bが、直線状の屈曲ラインを付け根部とし且つ段差部により補強され平面状周縁のオーバーロック部が容器本体の平面状のハの字型導入部に係留し易くした請求項１記載の極薄プラスチック製容器のふた留め装置。
【請求項３】
蓋体を閉じるとき、蓋体の台形突起Bの傾斜面が容器本体の台形突起の傾斜面に沿って滑り込むと共にハの字型導入部を越えた時点で、オーバーロック部がハの字型導入部の裏面と係合して蓋体を係留するようにした請求項１記載の極薄プラスチック製容器のふた留め装置。
【請求項４】
蓋体を閉じるとき、逆さまとなった中空の台形突起Bの凹部に親指を掛け、背面側に人差指を掛けて台形突起Bをつまむ形で引き出し、容器本体のハの字型導入部へオーバーロック部が係留されるようにした請求項１記載の極薄プラスチック製容器のふた留め装置。
【請求項５】
蓋体が容器本体と係留したとき、段差部のくびれ部と本体のくびれ部とが係合し、屈曲ラインの下方が容器本体の係止縁と係合し、容器本体の台形突起Aと蓋体の空間部が係合して立体的な係留とした極薄プラスチック製容器のふた留め装置。
【請求項６】
蓋体が容器本体と係留したとき、段差部のくびれ部と本体のくびれ部とが立体的に係合し、段差部により逆さまの台形突起Bのオーバーロック部が容器本体のハの字型導入部の裏面側へ入り込み、容器本体の２つの台形突起Aが蓋体の空間部に設けた係止部と当接するよう係留したことを特徴とする請求項１記載の極薄プラスチック製容器のふた留め装置。
【請求項７】
ヒンジ部で接続された蓋体を開放状態のまま複数の容器を積み重ねた場合、次段の２つの台形突起A及び台形突起Bがそれぞれ前段の中空の台形突起に挿入され、傾斜面を利用して滑り込み密接して積み重ねられるようにしたことを特徴とする請求項１記載の極薄プラスチック製容器のふた留め装置。
【発明の詳細な説明】
【技術分野】
【０００１】
本発明は真空成型による０．３mm程度の極薄のプラスチック製容器のふた留め装置であり、野菜や菓子その他比較的軽い品物をパック製品として包装する容器に関する。
【背景技術】
【０００２】
薄肉のプラスチック製容器では、品物を収納したパック製品として容器本体と蓋体との周縁部にある平面部を利用し、この平面部同志を粘着テープで止定したり、ホッチキスの金属止定片で固定するか、容器本体と蓋体とをパック毎ゴム輪やバンドで締付ける方法が採られていた。
【０００３】
比較的厚い合成樹脂製のプラスチック製品の場合、容器及び蓋体の周縁部に凹凸嵌合部を設けて嵌合着する方法も採られている。
【特許文献１】実用新案出願公開  昭６４−９１１３号公報  片開き式蓋付プラスチック容器
【特許文献２】実用新案出願公開  昭６０−４４１１号公報  包装用容器の閉成機構
【特許文献３】特許第3053811号  特許公報  プラスチック容器の閉蓋装置
【発明の開示】
【発明が解決しようとする課題】
【０００４】
真空成型のプラスチック製容器において、プラスチック素材が薄肉である場合、硬さや剛性がないので係合力が弱く厚手のプラスチック製品のように凹凸嵌合部を設けてこれらを嵌合する形体が採用できない。また複雑な凹凸形状にするとプラスチックが薄肉であるため破損する危険性がある。
【０００５】
本発明では上記のような課題に対処するものであり、プラスチック素材が薄肉であっても真空成型により傾斜面を有する中空の台形突起を設け、周縁部から屈曲ライン、くびれ部、段差部等を設けて剛性をもたせて凹凸嵌合ではない立体的な係留を実現し、台形突起の傾斜面を利用して蓋体を本体へ円滑且つ容易に係合できるようにする。
【０００６】
係留後は蓋体が上下、左右、前後方向にずれることなく、蓋体が安定して係留することができ、蓋体を外す場合は蓋体の台形突起を利用して簡単に分離できるようにする。
【０００７】
さらに台形突起を設けても蓋体を開放したまま複数容器を積み重ねた場合に、嵩高にならないようにしようとするものである。
【課題を解決するための手段】
【０００８】
上記課題を解決するため、第１発明ではヒンジ部で接続された蓋付きの極薄プラスチック製容器において、容器本体の平面状周縁部でくびれ部に続いて外方へ拡がるハの字型導入部を設け、この導入部に近接して周縁部にそれぞれ傾斜面を有する中空の台形突起Aを２つ設け、蓋体には前記容器本体のハの字型導入部に対応して周縁部から屈曲ラインを介してくびれ部とした段差部を設け、この段差部に続いて周縁に平面状のオーバーロック部を有し、下向き傾斜面を有する中空の台形突起Bを設け、この台形突起Bの両側に前記容器本体の２つの台形突起Aを嵌挿入される空間部を形成して成る極薄プラスチック製容器のふた留め装置とした。
【０００９】
第２発明では、蓋体に設けた中空の台形突起Bが、直線状の屈曲ラインを付け根部とし且つ段差部により補強され平面状のオーバーロック部が容器本体の平面状のハの字型導入部に係留し易くした極薄プラスチック製容器のふた留め装置とした。
【００１０】
第３発明では、蓋体を閉じるとき、蓋体の台形突起Bの傾斜面が容器本体の台形突起Aの傾斜面に沿って滑り込むと共にハの字型導入部を越えた時点で、オーバーロック部がハの字型導入部の裏面と係合して蓋体を係留するようにした。
【００１１】
第４発明では、蓋体を閉じるとき、逆さまとなった中空の台形突起Bの凹部に親指を掛け、背面側に人差指を掛けて台形突起Bをつまむ形で容器本体のハの字型導入部へ導き、オーバーロック部が両側の台形突起Aにあるハの字型導入部の裏面へ係留されるようにした。
【００１２】
第５発明では、蓋体が容器本体と係留したとき、段差部のくびれ部と本体のくびれ部とが係合し、屈曲ラインの下方が容器本体の係止縁と係合し、容器本体の台形突起Aと蓋体の空間部が係合して立体的な係留とした極薄プラスチック製容器のふた留め装置とした。
【００１３】
第６発明では、蓋体が容器本体と係留したとき、段差部のくびれ部と本体のくびれ部とが立体的に係合し、段差部により逆さまの台形突起Bのオーバーロック部が容器本体のハの字型導入部の裏面側へ入り込み、容器本体の２つの台形突起Aが蓋体の空間部に設けた係止部と当接するよう係留した。
【００１４】
第７発明では、ヒンジ部で接続された蓋体を開放状態のまま複数の容器を積み重ねた場合、次段の２つの台形突起A及び台形突起Bがそれぞれ前段の中空の台形突起A,Bに挿入され、傾斜面を利用して滑り込み密接して積み重ねられるようにした。
【発明の効果】
【００１５】
本発明装置はおよそ0.３mm以下の薄肉のプラスチック製容器であって材料強度がほとんどない程の極薄プラスチックにより真空成型することができ、軽量で蓋体を容器本体へ立体的に係留し易く、前後、左右又は上下方向へのずれがほとんど生じることなく閉蓋時の係合力が強く、また本体から蓋体を分離する場合には蓋体の台形突起を持って容易にあけることのできるふた留め装置を提供することができた。
【００１６】
容器本体の周縁部のくびれ部からハの字型導入部を設け、蓋体の台形突起Ｂがさかさまの状態で挿入され本体の係止縁と当接し、傾斜面を有する２つの台形突起Ａが蓋体の空間部に嵌挿入され両者が立体的に係合することにより、ずれが少なく係留を強化している。また傾斜面を有する一対の台形突起Aはハの字型導入部を補強する効果ももっている。
【００１７】
蓋体では屈曲ラインを直線状とし、くびれ部に続くオーバーロック部を設けて前記導入部の裏面とオーバーロック部との係留がより確実となっている。
【００１８】
台形突起A及びBは中空としているので、蓋体を開放した状態で容器本体を複数段に積み重ねて貯蔵したり、搬送する場合に互いに密接して嵩高にならず、多量の積み重ねができる。
【発明を実施するための最良の形態】
【００１９】
本発明では、容器本体の周縁部で一対のくびれ部から平面状のハの字型導入部を設け、このハの字型導入部を補強するようそれぞれ中空の台形突起Aを形成している。
【００２０】
蓋体には、容器本体のハの字型導入部へ挿入できる台形突起Bを設け、周縁に平面状のオーバーロック部を形成して、閉蓋時に前記ハの字型導入部とオーバーロック部とが係留し、一対の台形突起Ａで補強されると共に蓋体の屈曲ラインの下方とが係合し、さらに一対の台形突起Ａは蓋体の空間部に入り込み、相互に立体的な係合を実現してふた留めするようになっている。
【００２１】
台形突起Ａと台形突起Bは、それぞれ傾斜面を有しているので、閉蓋時にこの傾斜面を摺り合わせるようにして係合し易くなっている。
【００２２】
台形突起Bは容器本体の周縁部から直線状の屈曲ラインにより補強されるとともに屈曲し易くまた逆台形となっているので親指と人差指でつまんで容器本体のハの字型導入部への係合と離脱に利用できるようになっている。またくびれ部と段差部を有して台形突起Bとともに周縁のオーバーロック部を補強している。
【実施例１】
【００２３】
図１、図２、図３において、１は容器本体、２は蓋体、３はヒンジ部を示す。４は容器本体１の平面状周縁部で、くびれ部５に続いて外方へ拡がるハの字型導入部６を設けた。
【００２４】
７は中空の台形突起Aで、前記ハの字型導入部６に近接して周縁部４に設けられ、この台形突起A７は傾斜面８を有している。中空の台形突起７はハの字型導入部６を真ん中にして一対となっている。
【００２５】
９は蓋体２の周縁部で、前記容器本体１の周縁部４と密接するようよう平面状となっている。１０は中空の台形突起Bで、蓋体２の周縁部９で前記容器本体１のハの字型導入部６に対応して設けられ、傾斜面１１を有する。
【００２６】
台形突起Ａ，Ｂの頂部には補強用の格子状凹凸を設けてもよい。
台形突起B１０は周縁部９から屈曲ライン１２を介してくびれ部１３とした段差部１４を設け、この段差部１４に続いて周縁に平面状のオーバーロック部１５を有している。屈曲ライン１２は直線状でB１０の付け根部であり、周縁部９からの屈曲を容易にすると同時に段差部１４とともに補強効果を有している。
【００２７】
１６は空間部で、台形突起B１０の両側に設けられ、閉蓋時に容器本体１の台形突起A７，７を逃すようになっている。１８は係止部となっている。
【００２８】
閉蓋時、台形突起B１０は傾斜面１１で容器本体１の両側の台形突起７，７の傾斜面８で滑るように挿入され、オーバーロック部１５が容器本体１のハの字型導入部６，６を越えて裏面側に係合することによりふた留めができるようになっている。１９は係止縁で、蓋体の屈曲ラインと共に蓋体の固定に役立っている。
【００２９】
台形突起B１０は両側をくびれ部及び台形突起A７、７に挟まれた形態をしているので、上下、左右へのずれが少なく、蓋の係留状態が安定している。
【００３０】
さらに蓋体を閉じるとき、逆さまとなった中空の台形突起Bの凹部に親指を掛け、背面側に人差指を掛けて台形突起Bをつまむ形で容器本体のハの字型導入部へ導き、オーバーロック部が両側の台形突起Aにあるハの字型導入部の裏面へ係留されるようにした。
【００３１】
また蓋体が容器本体と係留したとき、段差部のくびれ部と本体のくびれ部とが係合し、屈曲ラインの下方が容器本体の係止縁と係合し、容器本体の台形突起Aと蓋体の空間部が係合して立体的な係留とした。そして段差部のくびれ部と本体のくびれ部とが立体的に係合し、段差部により逆さまの台形突起Bのオーバーロック部が容器本体のハの字型導入部の裏面側へ嵌挿入し、容器本体の２つの台形突起Aが蓋体の空間部に設けた係合部と当接するよう係留した。
従って蓋体は上下、前後、左右方向において、立体的に係合しているので、強固に係留され、不用意に外れることがない。
【００３２】
蓋体を外したい場合には、逆さまとなった中空の台形突起Bの凹部に親指を掛け、背面側に人差指を掛けて台形突起Bをつまむ形で手前へ引っ張ると係合状態が解除されて蓋体をあけることができる。
【００３３】
複数の容器を蓋体を開放した状態で積み重ねる場合、各台形突起A及び台形突起Bはそれぞれ上段及び下段の突起内に入り込み、各周縁部も密接状態に積み重ねることができるので、多数の容器を積み重ねて保管、搬送等が可能になっている。
【００３４】
図８(イ)（ロ）（ハ）は台形突起AとBの係合状態を示す説明図である。
【実施例２】
【００３５】
容器本体に設けた一対の台形突起Aとこれに対応した台形突起Bは、図面上周縁部の一箇所に設けているが、周縁部が長い場合、複数箇所に設ける場合もある。
【実施例３】
【００３６】
容器本体に設けた台形突起Aが周縁部からのリブ１７によりさらに補強することもできる。なお周縁部自体に段差或いはリブ等を設けることもできる。
【実施例４】
【００３７】
台形突起A及びBの平面部に格子状の補強部を形成すると、さらに台形突起が補強される。
【産業上の利用可能性】
【００３８】
極薄のプラスチック素材による容器による野菜や菓子その他比較的軽い品物をパック製品の需要を伸ばす効果が認められる。
【図面の簡単な説明】
【００３９】
【図１】蓋体を開放状態とした本発明装置の平面図。
【図２】同側面図。
【図３】ふた留めするため蓋体の台形突起を挿入する状態を示す要部拡大斜視図。
【図４】容器本体の台形突起Aの拡大平面図。
【図５】同A-A線による拡大断面図。
【図６】蓋体の台形突起Bを本体側へ接近させた時の拡大平面図。
【図７】同B-B線による拡大断面図。
【図８】(イ)（ロ）（ハ）は台形突起AとBの係合状態を示す説明図。
【図９】容器本体にふた留めした状態の要部拡大平面図。
【符号の説明】
【００４０】
１    容器本体
２    蓋体
３    ヒンジ部
４    周縁部
５    くびれ部
６    ハの字型導入部
７    台形突起A
８    傾斜面
９    周縁部
１０  台形突起B
１１  傾斜面
１２  屈曲ライン
１３  くびれ部
１４  段差部
１５  オーバーロック部
１６  空間部
１８  係止部
１９  係止縁
【図１】
2005162287.tif 000003
【図２】
2005162287.tif 000004
【図３】
2005162287.tif 000005
【図４】
2005162287.tif 000006
【図５】
2005162287.tif 000007
【図６】
2005162287.tif 000008
【図７】
2005162287.tif 000009
【図８】
2005162287.tif 000010
【図９】
2005162287.tif 000011